Podtech/llm-jp-corpus-v4-ja_patent huggingface dataset:
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
被検者の生理学的状態を監視する装置であって、
被検者のバイタルサインを示すセンサ信号をセンサから取得するセンサインターフェースと、
前記センサに給電する電力蓄積部の充電状態を示す充電値を取得する電力蓄積部インターフェースと、
デューティサイクルモジュールと、
を有し、前記デューティサイクルモジュールは、
前記センサのデューティサイクルを前記充電値に基づいて制御し、
前記センサ信号に関連する複数の信号特徴のうちの少なくとも１つを、前記デューティサイクルモジュールによって制御される現在の前記デューティサイクルに基づいて選択し、
前記センサ信号から前記被検者の生理学的状態を示す前記複数の信号特徴のうちの前記少なくとも１つの選択された信号特徴を抽出するように処理ユニットを制御する、
装置。
【請求項２】
前記処理ユニットが前記被検者の睡眠段階を示す少なくとも１つの特徴を抽出する、請求項１に記載の装置。
【請求項３】
前記処理ユニットが、予め定められた期間にわたる前記被検者の睡眠段階を示す該被検者の睡眠図を前記少なくとも１つの抽出された特徴に基づいて決定する、請求項２に記載の装置。
【請求項４】
前記処理ユニットが、前記睡眠図を事前訓練されたパラメータによる分類手段、特に１組の予め定義された睡眠段階のうちの１つを前記予め定められた期間のうちの一部に割り当てるように訓練されたベイズ線形弁別手段に基づいて決定する、請求項３に記載の装置。
【請求項５】
前記デューティサイクルモジュールは、前記充電値が予め定められた閾値より低い充電状態を示す場合に前記デューティサイクルを減少させる、請求項１に記載の装置。
【請求項６】
前記デューティサイクルモジュールが、前記デューティサイクルを、前記センサの必要とされる動作時間、前記センサの予測される動作時間及び生理学的状態監視の必要とされる精度レベルのうちの少なくとも１つに基づいて調整する、請求項１に記載の装置。
【請求項７】
前記センサインターフェースが、
前記被検者の心拍を示すセンサ信号、特には心電図記録信号及び／又は光電式容積脈波記録信号、並びに
前記被検者の呼吸を示すセンサ信号、特には加速度信号及び／又は光電式容積脈波記録信号、
のうちの少なくとも１つを取得する、請求項１に記載の装置。
【請求項８】
前記センサインターフェースが前記被検者の心拍を示すセンサ信号、特には光電式容積脈波記録信号を取得する一方、前記デューティサイクルモジュールが、心拍変動を示す特徴を抽出する、特には、
前記心拍の平均心拍間間隔、
前記平均心拍間間隔の標準偏差、
０.０４〜０.１５Ｈｚの間のスペクトル帯域内のパワーを示す低周波パワーパラメータ、
０.１５〜０.４Ｈｚの間のスペクトル帯域内のパワーを示す高周波パワーパラメータ、
絶対逐次心拍間間隔差分の平均、
逐次心拍間間隔差分の二乗平均平方根、
５０msより大きい逐次心拍間間隔差分のパーセンテージ、
逐次心拍間間隔差分の標準偏差、
高周波極の位相、
サンプル・エントロピ、及び
ティーガ・カイザエネルギ、
のうちの少なくとも１つを抽出するように、前記処理ユニットを制御する、請求項１に記載の装置。
【請求項９】
前記デューティサイクルモジュールが、前記複数の信号特徴のうちの少なくとも１つを、デューティサイクルに関して前記被検者の生理学的状態に対する特徴又は特徴組の有意度を示す予め決定されたルックアップテーブルに基づいて選択する、請求項１に記載の装置。
【請求項１０】
前記ルックアップテーブルが、デューティサイクルと特徴又は特徴組とに関するコーエンのカッパ係数を示す、請求項９に記載の装置。
【請求項１１】
請求項１ないし１０の何れか一項に記載の装置と、
センサ信号を供給するセンサと、
前記センサに給電すると共に現在の充電状態を示す充電値を提供する電力蓄積部と、
を有する、ウェアラブル監視機器。
【請求項１２】
被検者を監視する方法であって、
被検者のバイタルサインを示すセンサ信号をセンサから取得するステップと、
前記センサに給電する電力蓄積部の充電状態を示す充電値を取得するステップと、
前記センサのデューティサイクルを前記充電値に基づいて制御するステップと、
前記センサ信号に関連する複数の信号特徴のうちの少なくとも１つを現在の前記デューティサイクルに基づいて選択するステップと、
処理ユニットを、前記複数の信号特徴のうちの前記少なくとも１つを抽出するように制御するステップと、
前記センサ信号から、前記被検者の生理学的状態を示す前記複数の信号特徴のうちの前記少なくとも１つの信号特徴を抽出するステップと、
を有する、方法。
【請求項１３】
コンピュータ上で実行された場合に前記コンピュータに請求項１２に記載の方法のステップを実行させるプログラムコード手段を有する、コンピュータプログラム。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
データプロセッサと、
ｉ）撮像の対象に関して撮像装置によって取得された信号から変換された或る範囲の強度値を含む画像データ、及びｉｉ）前記強度値の前記範囲内の内側範囲を画像値の画像間隔へ写像する第１の伝達関数の定義を受信し、前記第１の伝達関数は、前記内側範囲全体について、０でない同じ傾きを有する線形であり、
前記内側範囲の外側である外側範囲の強度値の中から、前記撮像の対象に関連する物理的特性に関する移行を表す１つ又は複数の移行強度値を識別し、
強度値の前記外側範囲について、少なくとも１つの第２の伝達関数を生成し、前記少なくとも１つの第２の伝達関数は非線形であり、前記１つ又は複数の移行強度値又はその前後においてそれぞれの０でない勾配を含み、前記少なくとも１つの第２の伝達関数は、強度値の前記外側範囲の強度値を使用し、
表示ユニット上において、前記画像データの少なくとも一部の可視化像をレンダリングし、前記可視化像は、前記第１の伝達関数を使用して前記内側範囲内にある前記画像データの強度値を写像することと、前記少なくとも１つの第２の伝達関数を使用して強度値の前記外側範囲内にある前記画像データの強度値を写像することとを含む動作によって生成されるために、
前記データプロセッサによって実行可能なコンピュータプログラムを記憶するコンピュータ可読媒体と、
を備える、画像処理システム。
【請求項２】
移行領域が、強度値の前記外側範囲についての少なくとも１つの等値面を計算することによって識別され、前記１つ又は複数の移行強度値の識別は、前記少なくとも１つの等値面の評価に基づく、請求項１に記載の画像処理システム。
【請求項３】
前記少なくとも１つの等値面の前記評価は、メトリックを計算することを含み、前記メトリックは、前記少なくとも１つの等値面の表面積、前記等値面を横切る勾配、及び勾配の計算された積分、又は勾配の絶対値若しくは勾配の符号付きの値の計算された積分のうちの何れか１つ又は複数のものである、請求項２に記載の画像処理システム。
【請求項４】
前記１つ又は複数の移行強度値は、前記メトリックが閾値を上回る値又は下回る値を返す場合に識別される、請求項３に記載の画像処理システム。
【請求項５】
前記可視化像が、当該可視化像内に前記少なくとも１つの等値面の１つ又は複数の等高線を含ませる更なる動作によって生成される、請求項２に記載の画像処理システム。
【請求項６】
前記画像データは、２Ｄ  Ｘ線画像、３Ｄコンピュータ断層撮影画像ボリューム、磁気共鳴画像データ、又は２Ｄ若しくは３Ｄ超音波画像のうちの何れかである、請求項１に記載の画像処理システム。
【請求項７】
前記撮像の対象に関連する前記移行は、材料の種類の移行、又は材料の種類と背景との間の移行を含む、請求項１に記載の画像処理システム。
【請求項８】
データプロセッサにおいて、ｉ）撮像の対象に関して撮像装置によって取得された信号から変換された或る範囲の強度値を含む画像データ、及びｉｉ）前記強度値の前記範囲内の内側範囲を画像値の画像間隔へ写像する第１の伝達関数の定義を受信するステップであって、前記第１の伝達関数は、前記内側範囲全体について、０でない同じ傾きを有する線形である、ステップと、
前記データプロセッサを使用して、外側強度値と呼ばれる、前記内側範囲の外側の強度値の中から、前記撮像の対象に関連する物理的特性に関する移行を表す１つ又は複数の移行強度値を識別するステップと、
前記データプロセッサを使用して、前記外側強度値について、前記外側強度値を使用する少なくとも１つの第２の伝達関数を生成するステップであって、前記少なくとも１つの第２の伝達関数は非線形であり、前記１つ又は複数の移行強度値又はその前後においてそれぞれの０でない勾配を含む、ステップと、
表示ユニット上において、前記第１の伝達関数及び前記第２の伝達関数に基づいた前記画像データの少なくとも一部の可視化像をレンダリングするステップと、
を備える、画像処理の方法であって、
前記可視化像は、前記第１の伝達関数を使用して前記内側範囲内にある前記画像データの強度値を写像することと、前記少なくとも１つの第２の伝達関数を使用して前記内側範囲の外側にある前記画像データの強度値を写像することとを含む動作によって生成される、方法。
【請求項９】
データプロセッサと、
撮像の対象に関して撮像装置によって取得された信号から変換された或る範囲の強度値を含む画像データを受信し、
第１の伝達関数を使用して、内側範囲内にある前記画像データの強度値を写像することと、第２の伝達関数を使用して、前記内側範囲の外側である強度値の外側範囲内にある前記画像データの強度値を写像することとを含む動作によって、前記画像データの少なくとも一部の可視化像を生成し、
表示ユニット上において、前記可視化像をレンダリングするために、
前記データプロセッサによって実行可能なコンピュータプログラムを記憶するコンピュータ可読媒体と、
を備える、画像処理システムであって、
前記第１の伝達関数は、前記内側範囲全体について、０でない同じ傾きを有する線形であり、前記第２の伝達関数は、強度値の前記外側範囲の強度値を使用し、非線形であり、前記内側範囲の外側にある１つ又は複数の移行強度値又はその前後においてそれぞれの０でない勾配を含み、前記１つ又は複数の移行強度値は、前記撮像の対象に関連する物理的特性に関する移行を表す、
画像処理システム。
【請求項１０】
前記第２の伝達関数は、前記画像データのピクセルデータ値ヒストグラム内のそれぞれのピークと整合される少なくとも１つのピーク又は谷を有する、請求項９に記載の画像処理システム。
【請求項１１】
前記第２の伝達関数は、前記画像データのピクセルデータ値ヒストグラム内のそれぞれの脂肪及び水のピークと整合される２つ以上のピーク又は谷を含む、請求項９に記載の画像処理システム。
【請求項１２】
前記第２の伝達関数は振動形の関数である、請求項９に記載の画像処理システム。
【請求項１３】
前記画像データは、２Ｄ  Ｘ線画像、３Ｄコンピュータ断層撮影画像ボリューム、磁気共鳴画像データ、又は２Ｄ若しくは３Ｄ超音波画像のうちの何れかである、請求項９に記載の画像処理システム。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
安全ハーネスコネクタ組立体であって、
全体にＣ字形状を有するＤリングであって、第１のＤリング開口を有する第１の端部と、第２のＤリング開口を有する第２の端部、及び前記第１の端部と前記第２の端部との間に延びている中間部を含み、前記第１のＤリング開口が前記第２のＤリング開口と整列されている、Ｄリングと、
前記第１のＤリング開口及び前記第２のＤリング開口と係合し、長軸を有するシャフトと、
デバイスコネクタシステムであって、
ベース部材と、
第１のコネクタ部材であって、前記シャフトによって前記ベース部材に直接かつ旋回可能に連結されることで、前記長軸の周りを前記ベース部材に対して旋回しうる第１のコネクタ部材と、を備える、デバイスコネクタシステムと、を備え、
前記Ｄリングが前記シャフトによって前記第１のコネクタ部材に直接かつ旋回可能に連結されることで、前記長軸の周りを前記ベース部材及び前記第１コネクタ部材の両方に対して旋回しうる、
安全ハーネスコネクタ組立体。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
患者を換気するためのシステム（１）と相互作用することを意図された、呼吸補助下の該患者の換気の有効性を診断するための装置（１０）であって、該装置（１０）は、
‐  送気および呼気での空気流速を実時間において測定しうる二方向熱質量センサ（２０）と、
‐  前記センサ（２０）により測定された該空気流速に関するデータを受け取りかつ処理するように構成された、該センサ（２０）へ接続された電子ユニット（２１）と、
を備え、
該電子ユニット（２１）は、
ｉ．表示装置（２７）およびデータを入力するための手段を備えるユーザインタフェースと、
ｉｉ．データ処理センターと、ここで、該データ処理センターは、データを受け取り処理しかつ表示し、換気の有効性を実時間において分析しかつ警報を管理するようにプログラムされたアルゴリズムに従って動作する、
ｉｉｉ．電力を供給するための手段と、
を備えている、
上記装置（１０）。
【請求項２】
該センサ（２０）と該電子ユニット（２１）との間の切断可能な接続部（２２）を備えている、請求項１に記載の装置（１０）。
【請求項３】
該表示装置（２７）はスクリーンであり、電力を供給する手段はバッテリーである、請求項１または２に記載の装置（１０）。
【請求項４】
該センサ（２０）は、１回使用用である、請求項１〜３の何れか１項に記載の装置（１０）。
【請求項５】
以下のセンサ：圧力センサ、および空気中のＣＯ２濃度のセンサ、から選択された少なくとも１つの別のセンサを備えている、請求項１〜４の何れか１項に記載の装置（１０）。
【請求項６】
データを入力するための手段は、患者の身体的及び／又は生理的特徴を該電子ユニット（２１）内へ入力すること、及び／又は換気に関する特徴、特に、換気のタイプ、換気装置（１１）のタイプ、及び／又は換気インタフェース（１２）のタイプに関する特徴を入力すること、を可能にするように構成されている、請求項１〜５の何れか１項に記載の装置。
【請求項７】
患者の身体及び／又は生理的特徴または該センサによって測定された該患者の生理的パラメータは、以下の特徴またはパラメータ：患者のサイズ、患者の肺容積、患者の肺コンプライアンス、患者の肺抵抗、患者の呼気時定数、患者の終末呼気陽圧、患者の呼気中のＣＯ２濃度、からの少なくとも２つを含んでいる、請求項１〜６の何れか１項に記載の装置。
【請求項８】
該データ処理センターは、患者に提供された換気補助の期間中、特に各換気サイクルにおいて、前記特徴および、特に各換気サイクルにおいて該センサ（２０）によって測定された、生理的パラメータを、前記患者の最適換気のための理想的な換気パラメータ、および各換気パラメータについての最小閾値及び／又は最大閾値をそれらから演繹するために、分析するように構成され、該換気パラメータは、以下のパラメータ：送気量、呼気量、１回の呼吸量（Ｖt）、漏洩量、換気頻度（Ｆr）、および送気圧からの少なくとも２つを含んでいる、請求項６または７に記載の装置。
【請求項９】
該データ処理センターは、該患者へ供給される換気補助の期間中、特に各換気サイクルにおいて、該センサ（２０）によっておよび任意的な別のセンサによって測定された換気パラメータを受け取り、且つそれらを前記閾値と比較するように構成され、かつ該データ処理センターは、該患者へ供給される換気補助の期間中、特に各換気サイクルにおいて、および各換気パラメータについて、測定された換気パラメータの値が対応する最大閾値よりも高い及び／又は対応する最小閾値よりも低い場合に、警告及び／又は、変更されるべき１以上の換気パラメータ又は最適換気を達成するために実行されるべき訂正に関する１つの情報を生成するように構成されている、請求項７または８に記載の装置。
【請求項１０】
該電子ユニットは、変更されるべきパラメータ又は訂正を該表示装置（２７）を介してユーザへ送るように構成されていること、及び／又は該電子ユニットは、可視の及び／又は聴覚の及び／又は触覚の指示を含み、且つ変更されるべきパラメータ又は訂正を前記指示を介して該ユーザへ送るように構成されていることによって特徴付けられる、請求項９に記載の装置。
【請求項１１】
患者へ呼吸補助を提供するための換気システム（１）であって、請求項１〜１０に何れか１項に記載の、該患者の換気の有効性を診断するための装置（１０）と、可撓性のバッグ、自己膨張バッグ、および機械的ベンチレータから成るグループから選択された換気装置（１１）とを備えており、該換気システム（１）は、気管切開チューブ又は気管チューブを介する侵襲性換気およびマスクを介する非侵襲性換気から成るグループから選択された換気インタフェース（１２）を備え、二方向熱質量センサ（２０）は、該換気装置（１１）と該換気インタフェース（１２）との間に置かれている、
上記換気システム。
【請求項１２】
請求項１１に記載された換気システムを用いる、患者の換気の有効性を決定するための方法であって、以下の工程：
ａ）該患者の身体的及び／又は生理的特徴を電子ユニット（２１）へ入力すること、及び／又は換気に関する、特に換気のタイプ、換気装置（１１）のタイプ、及び／又は換気インタフェース（１２）のタイプに関する特徴を入力することを可能にすること；
ｂ）該センサ（２０）を用いて該患者の生理的パラメータを測定すること；
ｃ）工程ａ）において入力された該特徴と、工程ｂ）において測定された該パラメータとを分析すること；
ｄ）それらから、前記患者の最適な換気のために理想的な換気パラメータ、および各換気パラメータについての最小閾値及び／又は最大閾値を実時間で演繹すること；
ｅ）該患者の該換気パラメータを実時間で測定すること；
ｆ）該測定された換気パラメータを前記閾値と夫々比較すること；
ｇ）各換気パラメータに対して、測定された換気パラメータの値が対応する最大閾値よりも大きい場合及び／又は対応する最小閾値よりも小さい場合に、警告及び／又は、変更されるべき１つ又は２以上のパラメータまたは最適換気を達成するように実行されるべき修正に関する情報を生成すること：
ｈ）該患者に提供された換気補助の期間中、特に各換気サイクルにおいて、工程ｂ）から工程ｇ）を繰り返すこと；
を包含することを特徴とする、
上記方法。
【請求項１３】
該患者の身体的及び／又は生理的特徴または該センサによって測定された該患者の生理的パラメータは、以下の特徴またはパラメータ：該患者のサイズ、該患者の肺容量、該患者の肺コンプライアンス、該患者の肺抵抗、該患者の呼気時定数、該患者の終末呼気陽圧、該患者の呼気中のＣＯ２濃度、からの少なくとも２つを包含している、請求項１２に記載の方法。
【請求項１４】
該換気パラメータは、以下のパラメータ：送気量、呼気量、呼吸量（Ｖt）、漏洩量、換気頻度（Ｆr）、および送気圧、から少なくとも２つを包含している、請求項１２または１３に記載の方法。
【請求項１５】
変更されるべきパラメータまたは修正は、表示装置（２７）、例えばスクリーン、及び／又は可視の指示器及び／又は聴覚の指示器及び／又は触覚の指示器を通してユーザへ伝達される、請求項１２〜１４の何れか１項に記載の方法。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
中央部分と、第１の端部と、第２の端部とを有するＤリングであって、前記中央部分は、前記Ｄリングに連結点を提供するように構成及び配置され、前記Ｄリングは、前記第１の端部と前記第２の端部との間に延びる少なくとも１つのポストを更に有する、Ｄリングと、
ウェビングに結合されるように構成及び配置されたベース部材であって、前記Ｄリングの前記少なくとも１つのポストは前記ベース部材に旋回可能に繋がっており、前記ベース部材は、第１の側縁から延びる第１の側壁と、第２の側縁から延びる第２の側壁と、後縁から延びる後壁と、を有する、ベースプレートを備え、前記ベース部材は、前記ベース部材に対して前記Ｄリングを固定するように構成及び配置された少なくとも１つの固定タブを更に備え、前記少なくとも１つの固定タブは、前記Ｄリングを前記ベース部材に対して作動位置及び格納位置のいずれかに選択的に固定するように構成及び配置されており、前記作動位置において、前記Ｄリングの前記中央部分が、前記ベース部材の前記後縁の近傍から外側へ前記後壁と平行な第１の方向に延び、前記格納位置において、前記Ｄリングの前記中央部分が、前記ベース部材の前記前縁の近傍から外側へ前記ベース部材と平行な第２の方向に延び、前記第１の方向と前記第２の方向とは異なる、Ｄリングキーパーアセンブリ。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
可撓性の細長い部材と、
前記可撓性の細長い部材の遠位部分に結合された感知素子と、
を有する感知ガイドワイヤにおいて、前記可撓性の細長い部材の前記遠位部分が、
コア部材と、
接着剤及び複数の接続スリーブにより前記コア部材に固定される成形リボンと、
を有する、ガイドワイヤ。
【請求項２】
前記コア部材が、ニチノールで形成される、及び／又は前記成形リボンが、ステンレス鋼で形成される、請求項１に記載のガイドワイヤ。
【請求項３】
前記ガイドワイヤが、前記成形リボンの遠位部分に結合された丸められた先端を有し、随意に、前記丸められた先端が、前記成形リボンの前記遠位部分にはんだ付けされる、請求項１に記載のガイドワイヤ。
【請求項４】
前記成形リボンが、前記コア部材から遠位方向に延在する、請求項１に記載のガイドワイヤ。
【請求項５】
前記接着剤が、ウレタン接着剤、シリコン接着剤、エポキシ及びアクリレートからなる接着剤のグループから選択された接着剤を含む、請求項１に記載のガイドワイヤ。
【請求項６】
前記複数の接続スリーブが、高分子接続スリーブを含む、請求項１に記載のガイドワイヤ。
【請求項７】
前記感知素子が、圧力センサ又は流量センサを含む、請求項１に記載のガイドワイヤ。
【請求項８】
感知ガイドワイヤを形成する方法において、
コア部材を取得するステップと、
成形リボンを取得するステップと、
前記コア部材の遠位部分に隣接して前記成形リボンを配置するステップと、
前記成形リボン及び前記コア部材の周りに複数の接続スリーブを配置するステップと、
前記成形リボンを前記コア部材に固定するように前記複数の接続スリーブ内に接着剤を導入するステップと、
感知素子を前記コア部材に結合するステップと、
を有する方法。
【請求項９】
前記コア部材が、ニチノールで形成される、及び／又は前記成形リボンが、ステンレス鋼で形成される、請求項８に記載の方法。
【請求項１０】
前記方法が、前記成形リボンの遠位部分に丸められた先端を結合するステップを有し、随意に、前記丸められた先端が、はんだ付けにより前記成形リボンの前記遠位部分に結合される、請求項８に記載の方法。
【請求項１１】
前記成形リボンが、前記コア部材を越えて遠位方向に延在するように前記コア部材の前記遠位部分に隣接して配置される、請求項８に記載の方法。
【請求項１２】
前記接着剤が硬化した後に前記複数の接続スリーブの少なくとも１つを取り除くステップを有する、請求項８に記載の方法。
【請求項１３】
前記接着剤が、ウレタン接着剤及びシリコン接着剤からなる接着剤のグループから選択された接着剤を含む、請求項８に記載の方法。
【請求項１４】
前記コア部材の前記遠位部分に隣接して前記成形リボンを配置するステップが、前記成形リボン及び前記コア部材の周りに前記複数の接続スリーブを配置するステップの前に実行される、請求項８に記載の方法。
【請求項１５】
前記複数の接続スリーブが、前記コア部材の前記遠位部分に隣接して前記成形リボンを配置するステップの前に前記コア部材又は前記成形リボンの少なくとも１つの周りに配置される、請求項８に記載の方法。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ＦＯＲＳセンサであって、手術空間内の基準位置に対する前記ＦＯＲＳセンサの形状再構成の情報を与える感知データを生成する、ＦＯＲＳセンサと、
Ｘ線透視イメージャと、
前記Ｘ線透視イメージャに接合される機械的コネクタであって、前記Ｘ線透視イメージャに前記ＦＯＲＳセンサを取り外し可能に装着するように構造的に構成される、機械的コネクタと、
前記機械的コネクタへの前記ＦＯＲＳセンサの取り外し可能な装着に基づき、前記ＦＯＲＳセンサによる前記感知データの生成に応答して、前記手術空間内における前記Ｘ線透視イメージャの追跡を制御するナビゲーションコントローラと
を備える、Ｘ線透視外科手術システムにおいて、前記Ｘ線透視外科手術システムは、
前記基準位置としての役割を果たすローンチを更に備え、
前記ＦＯＲＳセンサは、前記ローンチから遠位方向に延在し、
前記基準位置は、前記手術空間内において固定されている、
ことを特徴とする、Ｘ線透視外科手術システム。
【請求項２】
前記Ｘ線透視イメージャへの前記ＦＯＲＳセンサの前記装着は、前記ＦＯＲＳセンサが前記機械的コネクタ内に埋め込まれることを含む、請求項１に記載のＸ線透視外科手術システム。
【請求項３】
前記機械的コネクタと一体化されたドレープ
を更に備える、請求項１に記載のＸ線透視外科手術システム。
【請求項４】
前記機械的コネクタは、
前記Ｘ線透視イメージャに接合されたコネクタベースと、
前記コネクタベースに前記ＦＯＲＳセンサを取り外し可能に装着するコネクタクリップと
を含む、請求項１に記載のＸ線透視外科手術システム。
【請求項５】
前記コネクタクリップによる前記コネクタベースへの前記ＦＯＲＳセンサの前記装着は、前記ＦＯＲＳセンサが前記コネクタクリップ内に埋め込まれることを含む、請求項４に記載のＸ線透視外科手術システム。
【請求項６】
ドレープを更に備え、
前記コネクタクリップによる前記コネクタベースへの前記ＦＯＲＳセンサの前記装着は、前記ドレープが前記コネクタベースと前記コネクタクリップとの間に設置されることを含む、請求項４に記載のＸ線透視外科手術システム。
【請求項７】
前記コネクタベース及び前記コネクタクリップのうちの少なくとも１つと一体化されたドレープを更に備える、請求項４に記載のＸ線透視外科手術システム。
【請求項８】
外科手術器具を更に備え、
前記ＦＯＲＳセンサは、前記外科手術器具内に埋め込まれ、
前記ナビゲーションコントローラは更に、前記外科手術器具内への前記ＦＯＲＳセンサの埋め込みに基づき、前記ＦＯＲＳセンサによる前記感知データの生成に応答して、前記手術空間内における前記外科手術器具の追跡を制御する、請求項１に記載のＸ線透視外科手術システム。
【請求項９】
外科手術器具を更に備え、
前記コネクタクリップは更に、前記外科手術器具に前記ＦＯＲＳセンサを取り外し可能に装着し、
前記ナビゲーションコントローラは更に、前記コネクタクリップによる前記外科手術器具への前記ＦＯＲＳセンサの取り外し可能な装着に基づき、前記ＦＯＲＳセンサによる前記感知データの生成に応答して、前記手術空間内における前記外科手術器具の追跡を制御する、請求項４に記載のＸ線透視外科手術システム。
【請求項１０】
外科手術器具と、
前記外科手術器具に前記ＦＯＲＳセンサを取り外し可能に装着する器具コネクタと
を更に備え、
前記ナビゲーションコントローラは更に、前記器具コネクタによる前記外科手術器具への前記ＦＯＲＳセンサの取り外し可能な装着に基づき、前記ＦＯＲＳセンサによる前記感知データの生成に応答して、前記手術空間内における前記外科手術器具の追跡を制御する、請求項１に記載のＸ線透視外科手術システム。
【請求項１１】
外科手術器具と、
補助ＦＯＲＳセンサであって、前記手術空間内の前記基準位置に対する前記補助ＦＯＲＳセンサの形状再構成の情報を与える補助感知データを生成する、補助ＦＯＲＳセンサと
を更に備え、
前記補助ＦＯＲＳセンサは、前記外科手術器具内に埋め込まれ、
前記ナビゲーションコントローラは更に、前記外科手術器具内への前記補助ＦＯＲＳセンサの埋め込みに基づき、前記補助ＦＯＲＳセンサによる前記補助感知データの生成に応答して、前記手術空間内における前記外科手術器具の追跡を制御する、請求項１に記載のＸ線透視外科手術システム。
【請求項１２】
外科手術器具と、
補助ＦＯＲＳセンサであって、前記手術空間内の前記基準位置に対する前記補助ＦＯＲＳセンサの形状再構成の情報を与える補助感知データを生成する、補助ＦＯＲＳセンサと
を更に備え、
前記コネクタクリップは更に、前記外科手術器具に前記補助ＦＯＲＳセンサを取り外し可能に装着し、
前記ナビゲーションコントローラは更に、前記コネクタクリップによる前記外科手術器具への前記補助ＦＯＲＳセンサの取り外し可能な装着に基づき、前記補助ＦＯＲＳセンサによる前記補助感知データの生成に応答して、前記手術空間内における前記外科手術器具の追跡を制御する、請求項４に記載のＸ線透視外科手術システム。
【請求項１３】
外科手術器具と、
補助ＦＯＲＳセンサであって、前記手術空間内の前記基準位置に対する前記補助ＦＯＲＳセンサの形状再構成の情報を与える補助感知データを生成する、補助ＦＯＲＳセンサと、
前記外科手術器具に前記補助ＦＯＲＳセンサを取り外し可能に装着する器具コネクタと
を更に備え、
前記ナビゲーションコントローラは更に、前記器具コネクタによる前記外科手術器具への前記補助ＦＯＲＳセンサの取り外し可能な装着に基づき、前記補助ＦＯＲＳセンサによる前記補助感知データの生成に応答して、前記手術空間内における前記外科手術器具の追跡を制御する、請求項１に記載のＸ線透視外科手術システム。
【請求項１４】
前記基準位置は、前記Ｘ線透視イメージャへの前記ＦＯＲＳセンサの取り外し可能な装着に基づき、前記手術空間内において移動可能である、請求項１に記載のＸ線透視外科手術システム。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
電気外科ナイフに取り付けられるための組織検知デバイスであって、
前記電気外科ナイフのハウジングの部分を受け取る近位端部分、前記電気外科ナイフのブレードを移動可能に支持する遠位端部分、及び前記遠位端部分と前記近位端部分との間のグリップ部分、を有する本体と、
光ファイバであって、前記光ファイバの遠位端は前記遠位端部分に配され、前記光ファイバの近位端は前記光学コンソールに接続可能である、光ファイバと、
を有し、前記光ファイバの遠位端は更に、前記電気外科ナイフの前記ブレードが前記遠位端部分によって支持される場合に前記光ファイバの遠位端が前記ブレードとは別に位置付けられるように、前記遠位端部分に配される、光ファイバと、
を有し、前記本体の前記遠位端部分は、前記電気外科ナイフの前記ブレードに対して及び前記ブレードのところで移動可能である、組織検知デバイス。
【請求項２】
ガイディングチューブを更に有し、前記光ファイバが、前記ガイディングチューブ内に移動可能に収容される、請求項１に記載の組織検知デバイス。
【請求項３】
前記光ファイバの前記遠位端に配される保護プラグであって、前記光ファイバから／への光を伝送するように構成される保護プラを更に有する、請求項２に記載の組織検知デバイス。
【請求項４】
前記光ファイバが前記ガイディングチューブへ移動されるときに前記光ファイバの先端部をクリーニングするクリーニング部材を更に有する、請求項２に記載の組織検知デバイス。
【請求項５】
前記光ファイバは、前記光ファイバの前記遠位端が前記遠位端部分を越えて突出するように、前記遠位端部分に対し移動可能である、請求項１乃至４のいずれか１項に記載の組織検知デバイス。
【請求項６】
前記光ファイバを前記光学コンソールと接続する光学ケーブルに、前記光ファイバを光学的に接続するファイバコネクタを更に有する、請求項１乃至５のいずれか１項に記載の組織検知デバイス。
【請求項７】
組織検査のために構成された光学コンソールを更に有する、請求項１乃至６のいずれか１項に記載の組織検知デバイス。
【請求項８】
請求項１乃至８のいずれか１項に記載の組織検知デバイスと、
前記組織検知デバイスの近位端部分に取り付けられるハウジングと、
前記組織検知デバイスの遠位端部分によって移動可能に支持されるブレードと、
を有する、電気外科ナイフ。
【請求項９】
前記組織検知デバイスの前記遠位端部分が前記ブレードの先端部に位置する第１の位置と、前記組織検知デバイスの前記遠位端部分が前記電気外科ナイフの前記ハウジングの近傍に位置する第２の位置との間で、前記組織検知デバイスの前記遠位端部分を移動させるレバーを更に有する、請求項８に記載の電気外科ナイフ。
【請求項１０】
前記ブレードの前記先端部の方向に前記組織検知デバイスの前記遠位端部分をバイアスする弾性素子を更に有する、請求項８又は９に記載の電気外科ナイフ。
【請求項１１】
前記グリップ部分が、前記電気外科ナイフの前記ブレードに対して前記組織検知デバイスの前記遠位端部分を移動させるよう弾性変形する、請求項８乃至１０のいずれか１項に記載の電気外科ナイフ。
【請求項１２】
前記電気外科ナイフのブレードをクリーニングする手段が前記組織検知デバイスの前記遠位端部分に提供されている、請求項８乃至１１のいずれか１項に記載の電気外科ナイフ。
【請求項１３】
前記ブレードが固着防止層でコーティングされている、請求項８乃至１２のいずれか１項に記載の電気外科ナイフ。
【請求項１４】
前記電気外科ナイフの前記ブレードに電流を供給する電気コンソールを更に有する、請求項８乃至１３のいずれか１項に記載の電気外科ナイフ。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
患者について候補ネオアンチゲンの優先順位を付けるための方法であって、
複数の候補ネオアンチゲンを得るステップ；
前記複数の候補ネオアンチゲンの自己類似性を決定するステップ；
前記複数の候補ネオアンチゲンの公知抗原との類似性を決定するステップ；
前記複数の候補ネオアンチゲンの発現のレベルを決定するステップ；
前記複数の候補ネオアンチゲンをコードするエクソンにおける変異体アレル頻度を同定するステップ；および
前記決定するステップおよび同定するステップの結果にルールを適用するステップであって、臨床的重要性の見込みに従って前記複数の候補ネオアンチゲンをランキングするステップ、を含む、方法。
【請求項２】
前記複数の候補ネオアンチゲンが患者腫瘍試料に由来する、請求項１に記載の方法。
【請求項３】
前記複数の候補ネオアンチゲンが、腫瘍試料から得られた候補ペプチドについてＨＬＡ遺伝子型およびＭＨＣ結合親和性を決定することにより得られる、請求項１に記載の方法。
【請求項４】
候補ペプチドについての前記ＨＬＡ遺伝子型および前記ＭＨＣ結合親和性が、ペプチド配列データからｉｎ  ｓｉｌｉｃｏで決定される、請求項３に記載の方法。
【請求項５】
前記候補ペプチドが、前記腫瘍試料由来のペプチドを、正常試料由来の対応するペプチドと比較することにより得られ、候補ペプチドが前記対応するペプチドに対して変異を含む、請求項３に記載の方法。
【請求項６】
前記適用するステップが、１０００ｎＭより高いＭＨＣ結合親和性を有する候補ネオアンチゲンを前記複数の候補ネオアンチゲンから除去することを含む、請求項３に記載の方法。
【請求項７】
前記適用するステップが、５００ｎＭより高いＭＨＣ結合親和性を有する候補ネオアンチゲンを前記複数の候補ネオアンチゲンから除去することを含む、請求項６に記載の方法。
【請求項８】
前記複数の候補ネオアンチゲンがそれぞれ、強い結合（ＳＢ）または弱い結合（ＷＢ）のＭＨＣ分類に割り当てられ、前記適用するステップが、ＳＢ候補ネオアンチゲンがＷＢ候補ネオアンチゲンより高くランキングされるように、前記複数をランキングすることを含む、請求項１に記載の方法。
【請求項９】
前記複数の候補ネオアンチゲンの抗原ペプチドプロセシングの分類を決定するステップをさらに含む、請求項１に記載の方法。
【請求項１０】
前記複数の候補ネオアンチゲンが、エピトープ（Ｅ）または非抗原（ＮＡ）の分類に割り当てられ、前記適用するステップが、Ｅ候補ネオアンチゲンがＮＡ候補ネオアンチゲンより高くランキングされるように、前記複数の候補ネオアンチゲンをランキングすることを含む、請求項９に記載の方法。
【請求項１１】
前記適用するステップが、より低い自己類似性を有する候補ネオアンチゲンが、より高い自己類似性を有するネオアンチゲンより高くランキングされるように、前記複数の候補ネオアンチゲンをランキングすることを含む、請求項１に記載の方法。
【請求項１２】
前記発現のレベルが、ＲＮＡｓｅｑ発現値を含み、前記適用するステップが、１０ＲＰＫＭ（マッピングされた１００万個のリード当たり１キロベース当たりのリード数）未満の発現値を有する候補ネオアンチゲンを前記複数の候補ネオアンチゲンから除去することを含む、請求項１に記載の方法。
【請求項１３】
前記適用するステップが、２５ＲＰＫＭ（マッピングされた１００万個のリード当たり１キロベース当たりのリード数）未満の発現値を有する候補ネオアンチゲンを前記複数の候補ネオアンチゲンから除去することを含む、請求項１２に記載の方法。
【請求項１４】
前記適用するステップが、公知抗原のより長い部分とのアミノ酸同一性を有する候補ネオアンチゲンが、公知抗原のより短い部分とのアミノ酸同一性を有する候補ネオアンチゲンより高くランキングされるように、公知抗原の部分との１００パーセントアミノ酸同一性に基づいて前記複数の候補ネオアンチゲンをランキングすることを含む、請求項１に記載の方法。
【請求項１５】
前記抗原ペプチドプロセシングの分類が、ペプチド切断予測または抗原ペプチドトランスポーター（ＴＡＰ）の親和性予測を使用して決定される、請求項９に記載の方法。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
第一の変調方式でデータを変調して第一のシンボルストリームを生成するように配置される変調装置と、
前記第一のシンボルストリームを、それぞれ第一の変調方式より低い変調次数を有する変調方式で変調される所定数の第二のシンボルストリームに分解するように配置される分解装置と、
前記所定数の第二のシンボルストリームに対して処理を行って符号分割多重されたデータストリームを生成するように配置される処理装置と、
符号分割多重されたデータストリームに対して処理を行って、処理後のデータストリームを送信するように配置される通信装置と、
を備える、データ送信装置。
【請求項２】
前記処理装置は、前記所定数の第二のシンボルストリーム対して符号分割多重を行って前記符号分割多重されたデータストリームを生成するように配置される、請求項１に記載のデータ送信装置。
【請求項３】
前記処理装置は、前記所定数の第二のシンボルストリームをそれぞれ所定ユニット単位で所定回数分繰返して所定数の繰返しシンボルストリームを生成し、かつ前記所定数の繰返しシンボルストリームに対して符号分割多重を行って前記符号分割多重されたデータストリームを生成するように配置される、請求項１に記載のデータ送信装置。
【請求項４】
前記所定ユニットはシンボル又はサブフレームである、請求項３に記載のデータ送信装置。
【請求項５】
前記通信装置は、さらに無線リソース制御シグナリングにより前記所定回数を指示する情報を受信するように配置される、請求項３または４に記載のデータ送信装置。
【請求項６】
前記通信装置は、符号分割多重を行うことを指示する情報を下りリンク制御チャネルにより受信し、かつ無線リソース制御シグナリングにより前記所定数を指示する情報を受信するように配置される、請求項１ないし５のいずれか一項に記載のデータ送信装置。
【請求項７】
データを受信し、受信された前記データに対して処理を行って、符号分割多重されたデータストリームを取得するように配置される通信装置と、
前記符号分割多重されたデータストリームに対して処理を行って所定数の第一のシンボルストリームを生成するように配置される処理装置と、
前記所定数の第一のシンボルストリームを組合せて、各第一のシンボルストリームの変調方式より高い変調次数を有する変調方式で変調される第二のシンボルストリームになるように配置される組合せ装置と、
前記第二のシンボルストリームを復調して、復調されたデータストリームを生成するように配置される復調装置と、
を備える、データ受信装置。
【請求項８】
前記処理装置は、前記符号分割多重されたデータストリームに対して逆多重化を行って、前記所定数の第一のシンボルストリームとして、所定数の逆多重化データストリームを生成するように配置される、請求項７に記載のデータ受信装置。
【請求項９】
前記処理装置は、前記符号分割多重されたデータストリームに対して逆多重化を行って所定数の逆多重化データストリームを生成し、それぞれ前記所定数の逆多重化データストリームから、前記所定数の第一のシンボルストリームとして、所定ユニットとして所定回数分繰返されたシンボルストリームを抽出するように配置される、請求項７に記載のデータ受信装置。
【請求項１０】
前記所定ユニットはシンボル又はサブフレームである、請求項９に記載のデータ受信装置。
【請求項１１】
前記通信装置は、さらに無線リソース制御シグナリングにより前記所定回数を指示する情報を受信するように配置される、請求項９又は１０に記載のデータ受信装置。
【請求項１２】
前記通信装置は、物理下りリンク制御チャネルにより符号分割多重を行ったことを指示する情報を受信し、無線リソース制御シグナリングにより前記所定数を指示する情報を受信するように配置される、請求項７ないし１１のいずれか一項に記載のデータ受信装置。
【請求項１３】
第一の変調方式でデータを変調して第一のシンボルストリームを生成することと、
前記第一のシンボルストリームを、それぞれ第一の変調方式より低い変調階数を有する変調方式で変調される所定数の第二のシンボルストリームに分解することと、
前記所定数の第二のシンボルストリームに対して処理を行って符号分割多重されたデータストリームを生成することと、
符号分割多重されたデータストリームに対して処理を行って、処理後のデータストリームを送信すること、
を含む、データ送信方法。
【請求項１４】
データを受信し、受信された前記データに対して処理を行って、符号分割多重されたデータストリームを取得することと、
前記符号分割多重されたデータストリームに対して処理を行って所定数の第一のシンボルストリームを生成することと、
前記所定数の第一のシンボルストリームを組合せて、各第一のシンボルストリームの変調方式より高い変調階数を有する変調方式で変調される第二のシンボルストリームになることと、
前記第二のシンボルストリームを復調して、復調されたデータストリームを生成すること、
を含む、データ受信方法。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
深度マップを生成する装置であって、
画像と、入力深度値を含む関連深度マップとを提供するように構成された画像生成器回路と、
第１ピクセルセットを含む、前記画像の少なくとも第１輪郭を検出するように構成された輪郭検出器回路と、
深度モデルを前記第１ピクセルセットの入力深度値にフィッティングすることにより前記第１輪郭の輪郭深度モデルを生成するように構成されたモデルプロセッサ回路と、
前記輪郭深度モデルから第１ピクセルセットの少なくとも第１ピクセルに対して深度モデル深度値を決定するように構成された深度値決定器回路と、
前記関連深度マップの深度値を修正することにより、前記関連深度マップから修正深度マップを生成するように構成された修正器回路とを有し、
前記修正器回路はさらに、前記深度モデル深度値に応じて前記修正深度マップの前記第１ピクセルの第１修正深度値を生成するように構成される、
装置。
【請求項２】
前記修正器回路は前記第１修正深度値を前記深度モデル深度値に設定するように構成される、請求項１に記載の装置。
【請求項３】
前記修正器回路は前記深度モデル深度値と前記第１ピクセルの入力深度値との結合として前記第１修正深度値を生成するように構成される、請求項１に記載の装置。
【請求項４】
前記輪郭検出器回路はソフトディシジョン検出値を生成するように構成され、前記結合は加重結合であり、前記修正器回路は前記ソフトディシジョン検出値に応じて前記深度モデル深度値と前記第１ピクセルの前記入力深度値との少なくとも一方の加重を決定するように構成される、請求項３に記載の装置。
【請求項５】
前記輪郭検出器回路は前記第１輪郭の幾何学的特性に応じて前記ソフトディシジョン検出値を生成するように構成される、請求項４に記載の装置。
【請求項６】
前記輪郭深度モデルは一定深度値モデルである、請求項１に記載の装置。
【請求項７】
前記モデルプロセッサ回路は、極端入力深度値と平均入力深度値と前記第１ピクセルセットの中間入力深度値のうちの１つとして、輪郭深度モデルを生成するように構成されている、
請求項６に記載の装置。
【請求項８】
前記輪郭深度モデルは線形深度値モデルである、請求項１に記載の装置。
【請求項９】
前記輪郭検出器回路は、前記第１ピクセルセットの幾何学的要件の制約下において前記第１輪郭を決定するように構成される、請求項１に記載の装置。
【請求項１０】
前記幾何学的要件は、前記第１ピクセルセットが最大曲率を越えない幾何学的形状を構成するとの要件を含む、請求項９に記載の装置。
【請求項１１】
前記修正器回路による修正前に前記画像に基づき前記関連深度マップをフィルタリングするように構成されたバイラテラルフィルタをさらに有する、請求項１に記載の装置。
【請求項１２】
前記輪郭検出器回路は、輪郭要件が視覚的特性変化制約と幾何学的制約との両方を含むことに応じて、前記第１輪郭を検出するように構成される、請求項１に記載の装置。
【請求項１３】
前記画像生成器回路は、前記画像と、異なるビューイング方向に対応する第２画像とに基づく視差推定に応じて、前記関連深度マップを生成するように構成される、
請求項１に記載の装置。
【請求項１４】
深度マップを生成する方法であって、
画像と、入力深度値を含む関連深度マップとを提供することと、
前記画像の少なくとも第１輪郭を検出することであって、前記第１輪郭は第１ピクセルセットを含む、ことと、
深度モデルを前記第１ピクセルセットの入力深度値にフィッティングすることにより前記第１輪郭の輪郭深度モデルを生成することと、
前記輪郭深度モデルから前記第１ピクセルセットの少なくとも第１ピクセルの深度モデル深度値を決定することと、
前記関連深度マップの深度値を修正することにより、前記関連深度マップから修正深度マップを生成することとを有し、
修正深度マップを生成することは、前記深度モデル深度値に応じて、前記修正深度マップの前記第１ピクセルの第１修正深度値を生成することを有する、
方法。
【請求項１５】
コンピュータに、請求項１４に記載の方法のステップを実行させるコンピュータプログラム。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
検証デバイスによって距離上限を決定するための方法であって、
ターゲットデバイスに送られた第１のメッセージに対応する、前記ターゲットデバイスからの第１の応答を受信するための第１のラウンドトリップタイムを測定することと、
前記ターゲットデバイスに送られた第２のメッセージに対応する、前記ターゲットデバイスからの第２の応答を受信するための第２のラウンドトリップタイムを測定することと、ここにおいて、前記第２の応答は、処理時間乗数で遅らせられており、
前記第１のラウンドトリップタイム、前記第２のラウンドトリップタイム、および前記処理時間乗数に基づいて、通過時間測定値を決定することと、ここにおいて、前記通過時間測定値は、前記ターゲットデバイスの処理時間とは関係なく決定され、
前記通過時間測定値に基づいて、前記距離上限を決定することと
を備える、方法。
【請求項２】
前記処理時間乗数は、前記ターゲットデバイスが、前記検証デバイスによって送られたメッセージに応答することを遅らせる時間の量を示す、請求項１に記載の方法。
【請求項３】
前記第２のメッセージを受信すると、前記ターゲットデバイスは、前記第２のメッセージに応答する前に、前記処理時間乗数で処理時間をスケーリングする、請求項１に記載の方法。
【請求項４】
前記処理時間乗数は、前記検証デバイスおよび前記ターゲットデバイスによって知られているか、または
前記処理時間乗数は、固定値である、請求項１に記載の方法。
【請求項５】
前記処理時間乗数は、前記ターゲットデバイスに送られた前記第２のメッセージの内容に基づいて決定される、請求項１に記載の方法。
【請求項６】
前記通過時間測定値は、Ｔｆ＝（ｎ・Ｔｒｏｕｎｄ，１−Ｔｒｏｕｎｄ，２）／２（ｎ−１）に従って決定され、ここで、Ｔｆは、前記通過時間であり、ｎは、前記処理時間乗数であり、Ｔｒｏｕｎｄ，１は、前記第１のラウンドトリップタイムであり、Ｔｒｏｕｎｄ，２は、前記第２のラウンドトリップタイムである、請求項１に記載の方法。
【請求項７】
前記距離上限を決定することは、前記通過時間測定値に、光の速度を乗じることを備える、請求項１に記載の方法。
【請求項８】
前記距離上限は、前記検証デバイスと前記ターゲットデバイスとの間の距離についての上限を備える、請求項１に記載の方法。
【請求項９】
前記ターゲットデバイスが、そこにおいて、前記処理時間乗数に従って応答することを遅らせる少なくとも１つの追加の通過時間測定値に基づいて、前記距離上限は、決定される、請求項１に記載の方法。
【請求項１０】
少なくとも１つの追加のラウンドトリップタイムを測定することと、
前記少なくとも１つの追加のラウンドトリップタイムを使用して、少なくとも１つの追加の通過時間測定値を決定することと、
平均通過時間測定値を決定することと、
前記平均通過時間測定値に基づいて、前記距離上限を決定することと
をさらに備える、請求項１に記載の方法。
【請求項１１】
前記検証デバイスは、リーダデバイスであり、前記ターゲットデバイスは、リスニングデバイスであり、前記第１のメッセージおよび前記第２のメッセージは、前記リスニングデバイスに送られた呼掛けメッセージを備えるか、または
前記検証デバイスは、リスニングデバイスであり、前記ターゲットデバイスは、リーダデバイスであり、前記第１のメッセージおよび前記第２のメッセージは、前記リーダデバイスから受信された呼掛けへの応答を備える、請求項１に記載の方法。
【請求項１２】
距離上限を決定するように構成された装置であって、
ターゲットデバイスに送られた第１のメッセージに対応する、前記ターゲットデバイスからの第１の応答を受信するための第１のラウンドトリップタイムを測定するための手段と、
前記ターゲットデバイスに送られた第２のメッセージに対応する、前記ターゲットデバイスからの第２の応答を受信するための第２のラウンドトリップタイムを測定するための手段と、ここにおいて、前記第２の応答は、処理時間乗数で遅らせられており、
前記第１のラウンドトリップタイム、前記第２のラウンドトリップタイム、および前記処理時間乗数に基づいて、通過時間測定値を決定するための手段と、ここにおいて、前記通過時間測定値は、前記ターゲットデバイスの処理時間とは関係なく決定され、
前記通過時間測定値に基づいて、前記距離上限を決定するための手段と
を備える、装置。
【請求項１３】
距離上限決定動作のために、応答を送ることをいつ遅らせるべきかを決定するための方法であって、
ターゲットデバイスによって、検証デバイスから受信された第１のメッセージに対応する第１の応答を前記検証デバイスに送ることと、
処理時間乗数で遅らせられた第２の応答を、前記ターゲットデバイスによって前記検証デバイスに送ることと、ここにおいて、前記第２の応答は、前記検証デバイスから受信された第２のメッセージに対応し、ここにおいて、前記検証デバイスは、第１のラウンドトリップタイム、第２のラウンドトリップタイム、および前記処理時間乗数に基づいて、前記距離上限を決定し、ここにおいて、前記検証は、前記ターゲットデバイスの処理時間とは関係なく前記距離上限を決定する、
を備える、方法。
【請求項１４】
距離上限決定動作のために、応答を送ることをいつ遅らせるべきかを決定するように構成された装置であって、
検証デバイスから受信された第１のメッセージに対応する第１の応答を前記検証デバイスに送るための手段と、
処理時間乗数で遅らせられた第２の応答を前記検証デバイスに送るための手段と、ここにおいて、前記第２の応答は、前記検証デバイスから受信された第２のメッセージに対応し、ここにおいて、前記検証デバイスは、第１のラウンドトリップタイム、第２のラウンドトリップタイム、および前記処理時間乗数に基づいて、前記距離上限を決定し、ここにおいて、前記検証は、前記ターゲットデバイスの処理時間とは関係なく前記距離上限を決定する、
を備える、装置。
【請求項１５】
命令を有するコンピュータ読み取り可能な媒体を備える、距離上限決定動作のために、応答を送ることをいつ遅らせるべきかを決定するためのコンピュータプログラム製品であって、前記命令は、コンピュータによって実行されると、前記コンピュータに、請求項１乃至１１、または１３のいずれかに記載の方法を行わせる、コンピュータプログラム製品。